(57)【要約】【課題】本発明は、簡単な構造でセキュリティ性を損なわず製造費用を抑えたキャビネットを提供することを目的としている。【解決手段】本発明に係るキャビネット１は、箱体本体２を施蓋する扉体３のいずれか一方に施錠可能なハンドル８を設け、他方は箱体本体２に設けられたナイラッチ７により箱体本体の内側からロック可能とし、扉体３は複数設け、作業の際、箱体本体２の前面側を広く開放でき、施錠可能な扉体は一枚であってもセキュリティ性を損なわないことを特徴とする。【選択図】図１
2008078545.tif 000002
【特許請求の範囲】
【請求項１】
箱体本体は前面と側面とにそれぞれ扉体が設けられ、通信機器、電気機器等を収納するためのキャビネットにおいて、前記箱体本体を施蓋する扉体のいずれか一方に施錠可能なハンドルを設け、他方は前記箱体本体に設けられたナイラッチにより前記箱体本体の内側からロック可能であることを特徴とするキャビネット。
【請求項２】
前記キャビネットにおいて、前記箱体本体の、上面と背面及び下面と背面とをつなぐように補強部を設けたことを特徴とする請求項１に記載のキャビネット。
【発明の詳細な説明】
【技術分野】
【０００１】
本発明は、箱体本体は前面と側面とにそれぞれ扉体が設けられ、通信機器、電気機器等を収納するためのキャビネットに関するものである。
【背景技術】
【０００２】
従来、電気機器等を収納するためのキャビネット３１は、配線作業やメンテナンス作業の作業性を向上させるため、前面と側面とを開口し、それぞれ扉体３２で施蓋していた。セキュリティの面や安全性の面から、電気機器等に簡単に触れることができないように、扉体３２にはそれぞれ施錠機構が設けることがあった。
【０００３】
また、キャビネット３１は前面と側面が開口されており、扉体３２を開放したときに、キャビネットの３１の強度が不足しがちなので、キャビネットの前面と側面の間のコーナー部分にはフレーム３３を設けていた。
【特許文献１】特開２００３−６９２４６号公報
【特許文献２】特開２００３−１４２８５７号公報
【発明の開示】
【発明が解決しようとする課題】
【０００４】
しかしながら上記従来技術におけるキャビネット３１では、それぞれの扉体３２に施錠機構が設けられているため、いちいちそれぞれを施錠するのに手間が掛かっていた。また、扉体３２の数だけ施錠機構が必要となり、製造費用も引き上げられていた。
【０００５】
キャビネット３１にはフレーム３３が設けられているため、キャビネットに収納した機器の配線作業や保守作業の邪魔になる虞があった。
【課題を解決するための手段】
【０００６】
そこで本発明は、簡単な構造でセキュリティ性を損なわず製造費用を抑えたキャビネットを提供することを目的とし、その構造は、箱体本体を施蓋する扉体のいずれか一方に施錠可能なハンドルを設け、他方は箱体本体に設けられたナイラッチにより箱体本体の内側からロック可能であることを特徴とする。
【０００７】
また、箱体本体の、上面と背面及び下面と背面とをつなぐように補強部を設けたことを特徴とする。
【発明の効果】
【０００８】
本発明に係るキャビネットは、箱体本体を施蓋する扉体のいずれか一方に施錠可能なハンドルを設け、他方は箱体本体に設けられたナイラッチにより箱体本体の内側からロック可能であるため、確実に施錠が可能でセキュリティ性を損なわず、簡単に内部機器に触れることができない。また、施錠機構は代表する一枚の扉体のみに設けられるため製造費用を抑えることができる。
【０００９】
また、箱体本体の、上面と背面または下面と背面とをつなぐように補強部を設けたため、部品点数を抑えることができ、製造費用を引き下げると共に、在庫管理の手間を省くことができる。
【発明を実施するための最良の形態】
【００１０】
本発明は、簡単な構造で製造費用を抑えてキャビネットを提供するという目的を、最小の部品点数で、セキュリティ性を損なわずに実現した。
【実施例１】
【００１１】
本発明に係るキャビネットの第一実施例を図１〜図２の添付図面に基いて説明する。
【００１２】
本発明に係るキャビネット１は、箱体本体２と、箱体本体２を施蓋する扉体３とから構成される。扉体３は、箱体本体２の前面と、一方の側面に取り付けられる。箱体本体２には、例えばコ字状の機器取り付け部材４を設け、機器取り付け部材４の折曲部５には取り付け穴６を設けておき、取り付け穴６に機器を固定し、キャビネット１に機器を収納するものである。
【００１３】
扉体３をすべて開放したとき、キャビネット１内部に収納した機器の多くの部分が露出し、配線作業や保守作業等がしやすい構造となっている。
【００１４】
図１においては、前面扉体３ａと側面扉体３ｂと、扉体３は二枚あり、側面扉体３ｂは閉じたとき、ナイラッチ７により箱体本体２に固定されるものである。
【００１５】
前面扉体３ａはナイラッチ７により箱体本体２に固定された側面扉体３ｂ端面も被覆するように閉塞するものである。前面扉体３ａには施錠構造を有するハンドル８を装備し、他の扉体３ｂをナイラッチ７で箱体本体２に固定したあとで、前面扉体３ａを閉じ施錠する。ナイラッチ７で箱体本体２に固定される扉体３ｂは、キャビネット１の内側での施錠操作となり、外側からは操作できないようになっている。前面扉体３ａのみで施錠するが、一点のみの施錠でセキュリティ性は損なわれない。
【実施例２】
【００１６】
本発明に係るキャビネットの第二実施例を図１〜図２の添付図面に基いて説明する。
【００１７】
キャビネット１の箱体本体２の上面２ａと背面２ｂ、及び下面２ｃと背面２ｂとをつなぐ補強部９を設ける。背面２ｂと上面２ａ、下面２ｃとを補強し、しなりや歪みを防止し、箱体本体２の前面側にフレームを設けない。前面扉体３ａと側面扉体３ｂとを開放したとき、箱体本体２の前面側にはフレームがないため、キャビネット１への機器の取り付け作業や、配線作業または、設置後の保守作業等の効率を向上させることができる。
【実施例３】
【００１８】
本発明に係るキャビネットの第三実施例を図３の添付図面に基いて説明する。
【００１９】
キャビネット１０は断面略コ字状に形成された箱体本体１１と、箱体本体１１の前面を施蓋する前面扉体１２と、箱体本体１１の左右側面を施蓋する第一の側面扉体１３と、第二の側面扉体１４とから構成される。
【００２０】
箱体本体１１は、実施例２に示すものと同様に、上面１１ａと背面１１ｂ、及び下面１１ｃと背面１１ｂとをつなぐ補強部１５を設ける。背面１１ｂと上面１１ａ、下面１１ｃとを補強し、しなりや歪みを防止し、箱体本体１１の前面側にフレームを設けない。前面扉体１２は箱体本体１１の上面１１ａもしくは下面１１ｃに蝶着し、上方もしくは下方へ開放可能とする。第一の側面扉体１３と第二の側面扉体１４は箱体本体１１の背面１１ｂに蝶着する。
【００２１】
前面扉体１２には施錠可能なハンドル１６を設け、また、側面扉体１３、１４はナイラッチ１７で箱体本体１１の側面を施蓋する。側面扉体１３、１４をナイラッチ１７で閉塞した後、前面扉体１２を閉じ、必要であれば施錠する。キャビネット１０全体では、前面扉体１２だけが施錠可能であるが、側面扉体１３、１４は前面扉体１２が開放されなければ開けられないのでセキュリティ性は確保されている。
【００２２】
扉体１２、１３、１４をすべて開放した状態では、キャビネット１０の前面側には障害となるようなフレーム等が形成されていないので、機器取り付け作業や保守作業がしやすく、作業性を向上させる。
【産業上の利用可能性】
【００２３】
箱体本体には前面扉、側面扉とが取り付けられ、それぞれ回動動作により開閉可能であるが、開閉方向は、適宜変更可能であり、前面扉体を左右どちら側にも開けられるように変更可能であり、上下の開閉方向の場合も同様どちら側にも開けられるように変更可能であるので、キャビネットの設置場所が、壁際である場合にも対応できる。
【図面の簡単な説明】
【００２４】
【図１】本発明に係るキャビネットの実施例を示す説明図である。（実施例１、実施例２）
【図２】図１におけるキャビネットの正面図と側面断面図である。（実施例１、実施例２）
【図３】本発明に係るキャビネットの実施例を示す説明図である。（実施例３）
【図４】従来のキャビネットを示す説明図である。
【符号の説明】
【００２５】
１      キャビネット
２      箱体本体
２ａ    上面
２ｂ    背面
２ｃ    下面
３      扉体
３ａ    前面扉体
３ｂ    側面扉体
４      機器取り付け部材
５      折曲部
６      取り付け穴
７      ナイラッチ
８      ハンドル
９      補強部
１０    キャビネット
１１    箱体本体
１１ａ  上面
１１ｂ  背面
１１ｃ  下面
１２    前面扉体
１３    第一の側面扉体
１４    第二の側面扉遺体
１５    補強部
１６    ハンドル
１７    ナイラッチ
【図１】
2008078545.tif 000003
【図２】
2008078545.tif 000004
【図３】
2008078545.tif 000005
【図４】
2008078545.tif 000006